(57)【要約】【課題】  不特定多数の人が利用する様々な施設において、利用者の携帯品である傘の置き忘れを効果的に防止することができる忘れ物防止装置を提供することを目的とする。【解決手段】  開閉可能な傘部４と、該傘部４を開閉する開閉手段と、該開閉手段を駆動させるセンサ部１と、を備え、前記開閉手段はモータ３と、該モータ３によって前記傘部４を開閉するクランク機構８と、から構成し、前記センサ部１によって人間の接近を感知することで、前記傘部４が開閉することを特徴とする。【選択図】      図１
2005143568.tif 000002
【特許請求の範囲】
【請求項１】
開閉可能な傘部（４）と、該傘部（４）を開閉する開閉手段と、該開閉手段を駆動させるセンサ部（１）と、を備え、前記開閉手段はモータ（３）と、該モータ（３）によって前記傘部（４）を開閉するクランク機構（８）と、から構成し、前記センサ部（１）によって人間の接近を感知することで、前記傘部（４）が開閉することを特徴とする忘れ物防止装置。
【請求項２】
前記センサ部（１）において、一定時間後に前記傘部（４）の開閉動作を自動的に停止することを特徴とする請求項１記載の忘れ物防止装置。
【発明の詳細な説明】
【技術分野】
【０００１】
本発明は、外出時において、携帯品である傘を置き忘れてしまうことを防止する忘れ物防止装置に関するものである。
【背景技術】
【０００２】
例えば、百貨店、飲食店、会場、劇場や病院などといった不特定多数の人が利用する様々な施設においては、従来より、利用者の携帯品の忘れ物が非常に多く、その中でも特に傘の忘れ物が目立って多い。施設を利用する際に利用者が傘を携帯してきた場合、傘は出入り口に設置してある傘立てに置いておくこととなり、施設を利用している間に利用者の手もとからいったん離れてしまうことになる。そのため、利用者が利用を終えて施設から出る際に、注意していたつもりでも、慌てていたり、考え事をしていた場合などは、傘を持って来ていたことをうっかり忘れてしまい、そのまま施設に置き去りにしてしまうことがある。また、傘とは、その必要性が天候により非常に左右されるものであるため、施設を出る際に天候が良くなっている場合は、特に、利用者の注意が薄れがちとなり、うっかり置き忘れてしまう確率が非常に大きくなる。
【発明の開示】
【発明が解決しようとする課題】
【０００３】
しかしながら、傘は一般的に価格があまり高価ではなく、どこでも直ぐに入手することができる手軽さも相まって、利用者が後から傘を置き忘れたことに気が付いても、わざわざ施設に取りに戻ることが少なく、また、どこの施設に傘を置き忘れてしまったかを覚えていない場合も多いため、取りに行くことができないということもある。その結果、施設には置き忘れられた傘が増えていくこととなり、出入り口の傘立てに乱雑に残された忘れ物の傘により美観が損ねられてしまったり、また、置き忘れられた傘の管理や後処理が手数となるといった問題があった。
【０００４】
そこで、本発明は、上記課題を解決するためになされたものであり、不特定多数の人が利用する様々な施設において、利用者の携帯品である傘の置き忘れを効果的に防止することができる忘れ物防止装置を提供することを目的とする。
【課題を解決するための手段】
【０００５】
上記目的を達成するために、本発明のうち請求項１記載の発明は、開閉可能な傘部と、該傘部を開閉する開閉手段と、該開閉手段を駆動させるセンサ部と、を備え、前記開閉手段はモータと、該モータによって前記傘部を開閉するクランク機構と、から構成し、前記センサ部によって人間の接近を感知することで、前記傘部が開閉することを特徴とする。
【０００６】
ここで、傘部に関しては、開閉可能な機構を有していれば特に問うものではないが、製造コスト面及びリアル感を出すためにも、市販されている雨傘を使用することが望ましい。
【０００７】
本発明のうち請求項２記載の発明は、前記センサ部において、一定時間後に前記傘部の開閉動作を自動的に停止することを特徴とする。
【発明の効果】
【０００８】
請求項１記載の発明によれば、不特定多数の人が利用する施設などにおいて、人目に付く場所に設置しておくことで、利用者に対して視覚的に携帯品の忘れ物の注意を促すことができる。また、利用者が接近することで傘部が自動的に開閉することから、利用者に傘を携帯してきたという記憶を視覚を通して鮮明に呼び起こさせることが可能となり、利用者各自の注意にのみ頼ることなく傘の忘れ物を効果的に防止することができる。さらに、利用者に傘を携帯してきたという記憶を蘇らせることで、傘以外の携帯品にも各自の注意を向かせるきっかけにすることが可能となり、施設における利用者の携帯品の忘れ物の全面的な防止へと繋げることができる。
【０００９】
請求項２記載の発明によれば、センサ部が人間を感知した場合、傘部の開閉動作を一定時間繰り返した後、再び動作を停止することから、ランニングコストの低減化を図ることがでると共に、利用者の目障りになることがなく、さらに、各々の利用者に対して傘を効果的に意識させることが可能であるため、より一層鮮明に記憶を呼び起こさせて傘の忘れ物を確実に防止することができる。
【発明を実施するための最良の形態】
【００１０】
以下、本発明の忘れ物防止装置の実施形態について図面に基づいて説明する。
【００１１】
本発明の忘れ物防止装置は、図１に示すように、光センサ１と、変圧器２と、電動モータ３と、市販品の傘４と、から構成されており、この装置を安定に設置するための基板５上にそれぞれ固定されている。前記傘４は、該傘４のグリップ部４２の下端部分を前記基板５にボルト７止めされたＬ字状の支持部材６に、また、前記グリップ部４２の上端部分と中間部分を前記電動モータ３の一部に、それぞれボルト７止めすることによって、起立状態に保持されている。
【００１２】
前記傘４は、前記電動モータ３によって開閉動作を行うものであり、該開閉動作を図２（ａ）（ｂ）に示す。図２（ａ）は前記傘４が閉じている状態を示すものであり、図２（ｂ）は開いている状態を示すものである。前記開閉動作とは、前記傘４の親骨４３が内外に動くことによって前記傘４が開閉するものであり、その開閉動作は前記傘４の軸柄４１に備えられた摺動ろくろ４５を軸柄４１に沿って上下方向に摺動させることによって得られるものである。前記摺動ろくろ４５の上下運動は、前記電動モータ３からクランク機構８を介して得られるものである。前記電動モータ３にはクランク軸８１が備えてあり、前記電動モータ３の回転によって、クランクアーム８２が前記クランク軸８１を中心に旋回することで、前記クランクアーム８２の先端に接続されたリンク８３を介して前記摺動ろくろ４５を上下運動させる。この上下運動が、下端を前記摺動ろくろ４５に固定され、上端を前記親骨４３に揺動可能に連結された受骨４４を介して、前記親骨４３の開閉動作に変換される。
【００１３】
前記電動モータ３は、交流電源によって回転するものであり、前記光センサ１によって前記電動モータ３の駆動が制御されている。前記電動モータ３の駆動は、前記光センサ１が人間の接近を感知した瞬間である。前記電動モータ３及び前記光センサ１は、変圧器２を介して配線９によって接続されており、さらに前記光センサ１から交流電源のコンセント（図示省略）へと配線９によって接続されている。
【００１４】
前記光センサ１は、前記電動モータ３の駆動を制御するほか、一定時間後に自動的に前記傘４の開閉動作を止める前記電動モータ３の停止も制御している。前記傘４の開閉動作継続時間は、施設の利用者数や装置の設置場所など様々な状況に応じて変更可能にしておくことが望ましい。
【００１５】
本発明の忘れ物防止装置は、前記実施形態に限定されるものではなく、例えば、センサ部に関しては、光センサや赤外線センサなど、どのような種類のセンサを使用してもよく、また、傘部に関しても、開閉可能な構造を有していれば、市販されている傘に限るものではない。
【００１６】
また、図３に示すように、開閉手段である電動モータ３やクランク機構８を前面から隠すように、目隠部１０を備えてもよい。このように、目隠部１０を備えることにより、装置の外観が良好になることはもちろんのこと、該目隠部１０に、忘れ物の防止を呼びかける文字や図柄１１などを表示しておくことが可能となり、前記傘４の開閉動作と相まって、利用者に視覚を通して記憶をより一層鮮明に呼び起こさせて傘の置き忘れを効果的に防止することができる。
【図面の簡単な説明】
【００１７】
【図１】本発明の忘れ物防止装置の全体を示す正面図である。
【図２（ａ）（ｂ）】傘の開閉動作を示す一部を省略した正面図である。
【図３】忘れ物防止装置の他の例を示す正面図である。
【符号の説明】
【００１８】
１  光センサ（センサ部）
３  電動モータ（モータ）
４  傘（傘部）
８  クランク機構
【図１】
2005143568.tif 000003
【図２（ａ）（ｂ）】
2005143568.tif 000004
【図３】
2005143568.tif 000005